(57)【要約】【課題】基板支持部、リソグラフィ装置、およびローディング方法を提供する。【解決手段】本発明は、基板（Ｗ）を支持する基板支持部（ＷＴ）に関する。基板支持部は、本体（ＭＢ）と、クランプデバイス（ＶＣ、ＶＳＯ）と、震動デバイス（ＤＤ）とを備える。本体は、基板を支持する支持表面（Ｓ）を備える。クランプデバイスは、基板を支持表面にクランプするクランプ力を提供するように構成されている。震動デバイスは、クランプ力を震わせるように構成されている。震動デバイスは、基板Ｗが支持表面に装着される間にクランプ力を震わせるように構成されていてもよい。【選択図】図２
2020194185.tif 000002
【特許請求の範囲】
【請求項１】
基板を支持する基板支持部であって、
前記基板を支持する支持表面を備える本体と、
前記基板を前記支持表面にクランプするクランプ力を提供するように構成されている真空クランプシステムと、
前記基板を前記支持表面に装着するように構成され、及び／または、前記基板を前記支持表面から取り外すように構成されているハンドリングデバイスと、
震動デバイスと、を備え、
前記震動デバイスは、前記基板が前記支持表面から取り外される間に、前記クランプ力を震わせるように構成されている基板支持部。
【請求項２】
前記震動デバイスは、前記基板が前記ハンドリングデバイスによって部分的に支持されるとともに前記支持表面によって部分的に支持されている間に、前記クランプ力を震わせるように構成され、及び／または、前記震動デバイスは、前記基板及び／または前記支持表面を振動させるように構成されている請求項１に記載の基板支持部。
【請求項３】
前記真空クランプシステムは、前記支持表面から真空源へと流れを伝える真空導管を備え、前記震動デバイスは、前記真空導管の断面を変化させるように構成されている請求項１または２に記載の基板支持部。
【請求項４】
前記震動デバイスは、圧力波を印加するように構成されている請求項１から３のいずれかに記載の基板支持部。
【請求項５】
前記圧力波は、前記真空クランプシステムの真空導管に生成され、及び／または、冷却システム回路または温度調整システムを通じて流れる流体に生成される請求項４に記載の基板支持部。
【請求項６】
前記震動デバイスは、前記圧力波を生成するように構成されているスピーカーシステムを備える請求項４または５に記載の基板支持部。
【請求項７】
前記スピーカーシステムは、前記基板を振動させるために前記圧力波が前記基板の上側に発せられるように前記基板の上方に配置され、及び／または、前記真空クランプシステムの真空導管に配置されている請求項６に記載の基板支持部。
【請求項８】
前記真空クランプシステムに空気を供給するように構成されている空気注入システムをさらに備える請求項１から７のいずれかに記載の基板支持部。
【請求項９】
前記震動デバイスは、前記クランプ力が最大クランプ力からゼロへと減少する期間において、前記クランプ力を震わせるように構成されている請求項１から８のいずれかに記載の基板支持部。
【請求項１０】
前記支持表面は、前記本体上に構成された複数のバールによって画定されている請求項１から９のいずれかに記載の基板支持部。
【請求項１１】
前記震動デバイスは、１ｋＨｚから１ＭＨｚの間の励起周波数で前記クランプ力を震わせるように構成されている請求項１から１０のいずれかに記載の基板支持部。
【請求項１２】
前記ハンドリングデバイスは、ローディングピンを備え、前記ローディングピンは、後退位置において前記ローディングピンの上端が前記支持表面より下方に配置され、前記ローディングピンは、伸長位置において前記上端が前記支持表面より上方に延在する請求項１から１１のいずれかに記載の基板支持部。
【請求項１３】
前記ハンドリングデバイスは、前記基板の上側から前記基板を支持するベルヌーイグリッパーを備える請求項１から１２のいずれかに記載の基板支持部。
【請求項１４】
基板を支持する基板支持部であって、
前記基板を支持する支持表面を備える本体と、
前記基板を前記支持表面にクランプするクランプ力を提供するように構成されている真空クランプシステムと、
前記基板を前記支持表面に装着するように構成され、及び／または、前記基板を前記支持表面から取り外すように構成されているハンドリングデバイスと、
震動デバイスと、を備え、
前記震動デバイスは、前記基板が前記支持表面から取り外される間に、前記支持表面及び／または前記基板を振動させるように構成されている基板支持部。
【請求項１５】
請求項１から１４のいずれかに記載の基板支持部を備えるリソグラフィ装置。
【発明の詳細な説明】
【技術分野】
【０００１】
関連出願の相互参照
本出願は、２０１６年４月２０日に出願された欧州出願第１６１６６１７６．４号の優先権を主張し、その全体が参照により本明細書に援用される。
【０００２】
本発明は、基板支持部、リソグラフィ装置、およびローディング方法に関する。
【背景技術】
【０００３】
リソグラフィ装置は、所望のパターンを基板に、通常は基板の目標部分に与える機械である。リソグラフィ装置は例えば集積回路（ＩＣ）の製造に用いられる。この場合、マスクまたはレチクルとも称されるパターニングデバイスが、ＩＣの個別の層に形成されるべき回路パターンを生成するために使用され得る。このパターンが基板（例えばシリコンウェーハ）の（例えばダイの一部、あるいは１つまたは複数のダイを含む）目標部分に転写される。パターン転写は典型的には基板に形成された放射感応性材料（レジスト）層への結像による。一般に一枚の基板には網状に隣接する一群の目標部分が含まれ、これらは連続的にパターン形成される。従来のリソグラフィ装置にはいわゆるステッパとスキャナとがある。ステッパにおいては、目標部分にパターン全体が一度に露光されるようにして各目標部分は照射を受ける。スキャナにおいては、所与の方向（スキャン方向）に放射ビームによりパターンを走査するとともに基板をこの方向と平行または逆平行に走査するようにして各目標部分は照射を受ける。パターニングデバイスから基板へのパターン転写は、基板にパターンをインプリントすることによっても可能である。
【０００４】
リソグラフィ装置のある公知の実施例においては、基板の下側で基板を保持するロボットによって、基板支持部の支持表面に基板が装着される。実質的に水平な支持表面への基板のローディングを可能とするために、ｅピンとも呼ばれる３本のローディングピンが基板テーブルに設けられている。ローディングピンは、ローディングピンの上端が基板テーブルの上方へと伸長する伸長位置と、ローディングピンの上端が基板テーブル内へと後退する後退位置との間を移動可能である。
【０００５】
基板テーブルへの基板のローディングの間に、ロボットは、伸長位置にある３本のローディングピンに基板を装着する。基板は支持表面より上方に伸長しているローディングピンに受け取られるから、ロボットは、基板をローディングピンに残したまま退出することができる。
【０００６】
そして、ローディングピンは、支持表面に基板を載置すべく後退位置へと移動することができる。支持表面は、基板テーブルの本体に設けられ本体から延びる多数のバールの上端によって画定されている。
【０００７】
ローディングシーケンスの間の基板の形状は、とりわけ、ローディングピンに支持されるときの基板の重力たわみと、例えば先行するプロセス工程に起因する等、ゆがみうる基板それ自体の形状とによって定まる。支持表面に一度装着されると、最終的な基板形状を操作する自由度は制限される。
【０００８】
その結果、ローディングの間にはふつう、基板の様々な部位が様々な時点で支持表面のバールに接触することになる。基板が１以上のバールと最初に接触してからバールによって完全に支持されるまでの時間において、基板の形状は、基板が重力のもとで３本のローディングピンのみによって支持されることに起因する初期形状から、多数のバールによって支持されるときの最終形状へと変化する。典型的には、この時間の最中に、基板の部位、とくに外縁部は、基板が支持表面上で最適に平坦化された形状をとるべく配置されるようにバール上を滑り動くべきである。
【０００９】
また、基板が少なくとも部分的に支持表面に支持されているとき、基板は、例えば真空クランプまたは静電クランプによって、支持表面にクランプされてもよい。真空力または静電力は、非平坦にゆがんでいる基板を支持表面上で平坦化しつつバールへと引き寄せる。このような基板の支持表面への引き寄せもまた、基板が支持表面上で最適に平坦化された形状をとるべく実質的に配置されることを可能とするように、支持表面のバール上での基板の滑動をもたらすべきである。
【００１０】
バール上での基板の滑りを促進するために、バールの摩擦をできるだけ小さくすることが有利であろう。しかしながら、これにより、パターン形成されたビームの基板への投影中に（とくに、基板支持部および支持された基板は投影プロセスの間に大きい加速度および減速度にさらされるから）、基板支持部上で基板が比較的容易に滑ることとなりうる。したがって、基板支持部、とくにバールの摩擦を、バール上での基板の滑りを促進するために低下させることは、望ましくない。
【００１１】
バールの上端によって画定される支持表面への基板のローディングが、例えば基板とバールの間の摩擦が大きいことに起因して、バール上での基板の滑りをもたらさない場合には、基板が支持部によって保持されるとき基板に内部的な応力または力が生じうる。こうした内部応力は望まれない。なぜならこうした内部応力はパターン形成されたビームの基板への投影中における基板の位置及び／または形状に影響を及ぼしうるからである。この位置及び／または形状は同じ基板への異なる投影ごとに異なりうるから、内部応力はリソグラフィ装置のオーバレイ性能に悪影響を与えうる。
【発明の概要】
【００１２】
基板装着グリッド変形に起因するオーバレイ誤差を低減するために基板支持部上での基板の改善された位置決めを提供する基板支持部を提供することが望ましい。また、支持表面及び／または基板の摩耗低減をもたらす支持表面への基板のローディング及び／またはアンローディングを可能にする基板支持部を提供することが望ましい。
【００１３】
本発明のある実施の形態によると、基板を支持する基板支持部であって、本体と、クランプデバイスと、震動デバイスと、を備え、前記本体は、前記基板を支持する支持表面を備え、前記クランプデバイスは、前記基板を前記支持表面にクランプするクランプ力を提供するように構成され、前記震動デバイスは、前記クランプ力を震わせるように構成されている基板支持部が提供される。
【００１４】
本発明のある実施の形態によると、前述の請求項の一つに記載の基板支持部と、放射ビームを調整するように構成された照明システムと、前記放射ビームの断面にパターンを付与し、パターン形成された放射ビームを形成可能なパターニングデバイスを支持するように構成された支持部と、前記パターン形成された放射ビームを前記基板の目標部分に投影するように構成された投影システムと、を備えるリソグラフィ装置が提供される。
【００１５】
本発明のある実施の形態によると、基板をハンドリングデバイスから支持表面に移送することと、前記基板を前記支持表面にクランプするクランプ力を提供することと、前記基板を前記ハンドリングデバイスで部分的に支持するとともに前記支持表面で部分的に支持する間において前記クランプ力を震わせることと、を備えるローディング方法が提供される。
【図面の簡単な説明】
【００１６】
本発明のいくつかの実施の形態が例示のみを目的として付属の概略図を参照して説明される。図面において対応する符号は対応する部分を指し示す。
【図１】本発明のある実施の形態に係る基板ステージを備えるリソグラフィ装置を概略的に示す。
【図２】本発明のある実施の形態に係る基板支持部の第１の実施の形態を示す。
【図３】本発明のある実施の形態に係る基板支持部の第２の実施の形態を示す。
【図４】本発明のある実施の形態に係る基板支持部の第３の実施の形態を示す。
【図５】本発明のある実施の形態に係る基板支持部の第４の実施の形態を示す。
【図６】本発明のある実施の形態に係る基板支持部の第５の実施の形態を示す。
【図７】本発明のある実施の形態に係る基板支持部の第６の実施の形態を示す。
【発明を実施するための形態】
【００１７】
図１は、本発明の一実施形態に係るリソグラフィ装置を概略的に示す。この装置は、放射ビームＢ（例えば、ＵＶ放射、または、他の適する放射）を調整するよう構成されている照明システム（イルミネータ）ＩＬと、パターニングデバイス（例えばマスク）ＭＡを支持するよう構成され、いくつかのパラメータに従ってパターニングデバイスを正確に位置決めするよう構成されている第１位置決め装置ＰＭに接続されているマスク支持構造（例えばマスクテーブル）ＭＴと、を含む。また、この装置は、基板（例えば、レジストで被覆されたウェーハ）Ｗを保持するよう構成され、いくつかのパラメータに従って基板を正確に位置決めするよう構成されている第２位置決め装置ＰＷに接続されている基板支持部（例えばウェーハテーブル）ＷＴまたは「基板テーブル」を含む。さらに、この装置は、パターニングデバイスＭＡにより放射ビームＢに付与されたパターンを基板Ｗの（例えば１つ以上のダイを含む）目標部分Ｃに投影するよう構成されている投影システム（例えば、屈折投影レンズ系）ＰＳを含む。
【００１８】
照明システムＩＬは、放射の方向や形状の調整、または放射の制御のために、各種の光学素子、例えば屈折光学素子、反射光学素子、磁気的光学素子、電磁気的光学素子、静電的光学素子、またはその他の形式の光学素子、若しくはそれらの任意の組み合わせを含んでもよい。
【００１９】
マスク支持構造ＭＴは、パターニングデバイスＭＡを支持する（すなわち、パターニングデバイスの重量を支える）。支持構造は、パターニングデバイスの向き、リソグラフィ装置の設計、および例えばパターニングデバイスが真空環境下で保持されるか否か等その他の条件に応じた方式でパターニングデバイスＭＡを保持する。マスク支持構造は、機械式クランプ、真空クランプ、静電クランプ、またはパターニングデバイスを保持するその他のクランプ技術を用いることができる。マスク支持構造は例えばフレームまたはテーブルであってよく、固定されていてもよいし必要に応じて移動可能であってもよい。マスク支持構造は、パターニングデバイスが例えば投影システムに対して所望の位置にあることを保証してもよい。本書において「レチクル」または「マスク」という用語を用いた場合には、より一般的な用語である「パターニングデバイス」に同義であるとみなされるものとする。
【００２０】
本書で使用される「パターニングデバイス」という用語は、基板Ｗの目標部分にパターンを形成すべく放射ビームの断面にパターンを付与するために使用可能ないかなるデバイスをも指し示すよう広く解釈されるべきである。例えばパターンが位相シフトフィーチャあるいはいわゆるアシストフィーチャを含む場合のように、放射ビームに与えられるパターンは、基板の目標部分に所望されるパターンと厳密に一致していなくてもよい。一般には、放射ビームに付与されるパターンは、集積回路など、目標部分に形成されるデバイスにおける特定の機能層に対応する。
【００２１】
パターニングデバイスは透過型であっても反射型であってもよい。パターニングデバイスの例としては、マスクやプログラマブルミラーアレイ、プログラマブルＬＣＤパネルがある。マスクはリソグラフィの分野では周知であり、バイナリマスクやレベンソン型位相シフトマスク、ハーフトーン型位相シフトマスク、更に各種のハイブリッド型マスクが含まれる。プログラマブルミラーアレイの一例としては、小型のミラーがマトリックス状に配列され、各ミラーが入射してくる放射ビームを異なる方向に反射するように個別に傾斜可能であるというものがある。これらの傾斜ミラーにより、マトリックス状ミラーで反射された放射ビームにパターンが付与されることになる。
【００２２】
本書で使用される「投影システム」という用語は、使用される露光放射に関して又は液浸液の使用または真空の使用等の他の要因に関して適切とされるいかなる投影システムをも包含するよう広く解釈されるべきであり、屈折光学系、反射光学系、反射屈折光学系、磁気的光学系、電磁気的光学系、静電的光学系、またはそれらの任意の組み合わせを含む。本書における「投影レンズ」との用語の使用はいかなる場合も、より一般的な用語である「投影システム」と同義とみなされうる。
【００２３】
本書に使用される「放射」及び「ビーム」という用語は、紫外（ＵＶ）放射（例えば約３６５ｎｍ、２４８ｎｍ、１９３ｎｍ、１５７ｎｍ、または１２６ｎｍの波長を有する）及び極紫外（ＥＵＶ）放射（例えば５から２０ｎｍの範囲の波長を有する）含むあらゆる種類の電磁放射、さらにはイオンビームまたは電子ビーム等の粒子ビームを包含する。
【００２４】
図示されるように、本装置は、（例えば透過型マスクを用いる）透過型である。これに代えて、本装置は、（例えば、上述の形式のプログラマブルミラーアレイ、または反射型マスクを用いる）反射型であってもよい。
【００２５】
リソグラフィ装置は、２つ（デュアルステージ）又はそれより多くの基板テーブルまたは「基板支持部」（及び／または２つ以上のマスクテーブルまたは「マスク支持部」）を有する形式のものであってもよい。このような多重ステージ型の装置においては、追加されたテーブルまたは支持部は並行して使用されるか、あるいは１以上のテーブルまたは支持部が露光のために使用されている間に１以上の他のテーブルまたは支持部で準備工程が実行されてもよい。１以上の基板支持部に加えて、リソグラフィ装置は、基板支持部の性質、または投影システムを出射する放射ビームの性質を計測する少なくとも１つのセンサを備える計測ステージを有してもよい。計測ステージは、基板を保持しないように構成されていてもよい。
【００２６】
また、リソグラフィ装置は、基板Ｗの少なくとも一部が例えば水などの比較的高い屈折率を有する液体で投影システムＰＳと基板Ｗとの間の空間を満たすよう覆われうる形式のものであってもよい。液浸液は、例えばパターニングデバイスＭＡと投影システムＰＳとの間などのリソグラフィ装置の他の空間に適用されてもよい。液浸技術は投影システムの開口数を増大させるために使用することができる。本書で使用される「液浸」との用語は、基板等の構造体が液体に浸されなければならないことを意味するのではなく、液体が投影システムと基板との間に露光中に配置されることを意味するにすぎない。
【００２７】
図１を参照すると、イルミネータＩＬは放射源ＳＯから放射ビームを受け取る。例えば放射源がエキシマレーザである場合には、放射源とリソグラフィ装置とは別体であってもよい。この場合、放射源ＳＯはリソグラフィ装置の一部を構成しているとはみなされなく、放射ビームは、適当な方向変更用のミラー及び／またはビームエキスパンダを例えば含むビーム搬送系ＢＤを介して放射源ＳＯからイルミネータＩＬへと受け渡される。放射源ＳＯが例えば水銀ランプである等の他の場合には、放射源ＳＯはリソグラフィ装置と一体の部分であってもよい。放射源ＳＯとイルミネータＩＬとは、またビーム搬送系ＢＤが必要とされる場合にはこれも合わせて、放射システムと総称されてもよい。
【００２８】
イルミネータＩＬは放射ビームの角強度分布を調整するよう構成されているアジャスタＡＤを含んでもよい。一般には、イルミネータＩＬの瞳面における強度分布の少なくとも外側及び／又は内側半径範囲（通常それぞれ「シグマ−アウタ（σ−ｏｕｔｅｒ）」、「シグマ−インナ（σ−ｉｎｎｅｒ）」と呼ばれる）を調整することができる。加えてイルミネータＩＬは、インテグレータＩＮおよびコンデンサＣＯ等その他の各種構成要素を含んでもよい。イルミネータはビーム断面における所望の均一性及び強度分布を得るべく放射ビームを調整するために使用されてもよい。
【００２９】
放射ビームＢは、マスク支持構造ＭＴに保持されるパターニングデバイスＭＡに入射して、パターニングデバイスＭＡによりパターン形成される。パターニングデバイスＭＡを横切った放射ビームＢは投影システムＰＳを通過する。投影システムＰＳはビームを基板Ｗの目標部分Ｃに合焦する。第２位置決め装置ＰＷと位置センサＩＦ（例えば、干渉計デバイス、リニアエンコーダ、または静電容量センサ）により、例えば放射ビームＢの経路に異なる目標部分Ｃを位置決めするように、基板テーブルＷＴを正確に移動させることができる。同様に、第１位置決め装置ＰＭと他の位置センサ（図１には明示せず）は、例えばマスクライブラリの機械的な取り出し後または走査中に、放射ビームＢの経路に対してパターニングデバイスＭＡを正確に位置決めするために使用することができる。一般にマスク支持構造ＭＴの移動は、第１位置決め装置ＰＭの一部を構成するロングストロークモジュール（粗い位置決め用）及びショートストロークモジュール（精細な位置決め用）により実現されうる。同様に、基板支持部ＷＴの移動は、第２位置決め装置ＰＷの一部を構成するロングストロークモジュール及びショートストロークモジュールにより実現されうる。ステッパでは（スキャナとは異なり）、マスク支持構造ＭＴはショートストロークのアクチュエータにのみ接続されているか、あるいは固定されていてもよい。パターニングデバイスＭＡと基板Ｗとは、マスクアライメントマークＭ１、Ｍ２及び基板アライメントマークＰ１、Ｐ２を用いてアライメントされてもよい。図においては基板アライメントマークが専用の目標部分を占拠しているが、アライメントマークは目標部分間のスペースに配置されてもよい（これはスクライブライン・アライメントマークとして公知である）。同様に、パターニングデバイスＭＡに複数のダイが設けられる場合にはマスクアライメントマークがダイ間に配置されてもよい。
【００３０】
図示の装置は例えば次のうち少なくとも１つのモードで使用され得る。
１．ステップモードにおいては、放射ビームに付与されたパターンの全体が１回で目標部分Ｃに投影される間、マスク支持構造ＭＴ及び基板支持部ＷＴは実質的に静止状態とされる（すなわち単一静的露光）。そして基板支持部ＷＴがＸ方向及び／またはＹ方向に移動されて、異なる目標部分Ｃが露光される。ステップモードでは露光フィールドの最大サイズが単一静的露光で結像される目標部分Ｃのサイズを制限することになる。
２．スキャンモードにおいては、放射ビームに付与されたパターンが目標部分Ｃに投影される間、マスク支持構造ＭＴ及び基板支持部ＷＴまたは「基板テーブル」は同期して走査される（すなわち単一動的露光）。マスク支持構造ＭＴに対する基板支持部ＷＴまたは「基板テーブル」の速度及び方向は、投影システムＰＳの拡大（縮小）特性及び像反転特性により定められうる。スキャンモードでは露光フィールドの最大サイズが単一動的露光での目標部分の（非走査方向の）幅を制限し、走査移動距離が目標部分の（走査方向の）長さを決定する。
３．別のモードにおいては、マスク支持構造ＭＴがプログラマブルパターニングデバイスを保持して実質的に静止状態とし、放射ビームに付与されたパターンが目標部分Ｃに投影される間、基板支持部ＷＴまたは「基板テーブル」が移動または走査される。このモードではパルス放射源が通常用いられ、プログラマブルパターニングデバイスは、基板支持部ＷＴの毎回の移動後、または走査中の連続放射パルス間に必要に応じて更新される。この動作モードは、上述の形式のプログラマブルミラーアレイ等のプログラマブルパターニングデバイスを利用するマスクレスリソグラフィに容易に適用することができる。
【００３１】
上記で記載した使用モードを組み合わせて動作させてもよいし、各モードに変更を加えて動作させてもよいし、さらに全く別の使用モードが用いられてもよい。
【００３２】
リソグラフィ装置は、基板支持部ＷＴを備える。基板支持部ＷＴの上部は、図２において断面により、より詳細に示されている。
【００３３】
基板支持部ＷＴは、本体ＭＢと、支持表面Ｓを画定するように本体ＭＢから支持高さへと延在する複数のバールＢとを備える。支持表面Ｓは、基板支持部ＷＴに基板Ｗを支持するように構成されている。基板支持部ＷＴの製造において、バールＢは、平坦かつ水平な支持表面Ｓを得るべく高精度に機械加工され研磨される。バールＢは、基板支持部ＷＴと基板Ｗの接触表面積を制限し、それにより、基板Ｗが支持表面Ｓに支持されるとき基板Ｗに影響する基板支持部ＷＴまたは基板Ｗ底部の汚染を防ぐ。
【００３４】
また、バールＢ間の真空空間ＶＳは、封止リングＳＲによって範囲が定められている。この真空空間ＶＳは、支持表面Ｓに、とくにバールＢの上端に、基板Ｗをクランプする負圧を生成するために使用されてもよい。封止リングＳＲによって範囲を定められたバール間の真空空間ＶＳは、真空導管ＶＣを介して真空源ＶＳＯへと接続されている。
【００３５】
基板支持部ＷＴに基板Ｗを装着し、または基板支持部ＷＴから基板Ｗを取り外すために、基板支持部ＷＴは、基板Ｗを受け取って支持するように構成された一群のローディングピンＬＰを備える。
【００３６】
図示された例においては、一群のローディングピンＬＰは、実質的に鉛直に延在する３本のピン（２つのみが図示されている）を備える。各ローディングピンＬＰは、後退位置と伸長位置との間を移動可能である。後退位置においては、ローディングピンＬＰの上端は、支持表面Ｓより下方に配置される。伸長位置においては、ローディングピンＬＰの上端は、支持表面Ｓより上方に配置される。図２に示されるローディングピンＬＰは伸長位置にあり、基板ＷがローディングピンＬＰによって支持されている。例えば、基板Ｗは、ローディングロボットなどのローディングデバイスによってローディングピンＬＰに装着される。
【００３７】
基板Ｗを支持表面Ｓに装着するとき、ローディングピンＬＰは基板支持部ＷＴの本体ＭＢ内へと高さを下げ、それにより、基板ＷはバールＢ上で静止する。基板Ｗはふつう、完全には平坦でない。例えば、先行するプロセス工程は基板Ｗにゆがみをもたらしうる。さらに、重力によって、基板Ｗの形状は基板ＷがローディングピンＬＰに支持されるとき影響を受けうる。
【００３８】
基板Ｗの非平坦性の結果として、基板Ｗは支持表面Ｓへと降下されるとき平坦ではない。そのため、基板Ｗは、支持表面Ｓの平坦化された形状に適合するようにバールＢ上で滑動するかもしれない。支持表面Ｓに基板Ｗをクランプするために、真空クランプシステムは、真空空間ＶＳに負圧を生成することによって基板Ｗにクランプ力を作用させる。このようにクランプすることによって、支持表面Ｓでの基板Ｗの更なる平坦化が、滑動の結果としてもたらされうる。真空クランプシステムは、真空空間ＶＳ、封止リングＳＲ、および真空導管ＶＣを備えてもよい。
【００３９】
真空クランプシステムは、基板Ｗを支持表面Ｓにクランプするクランプ力を提供するように構成されたクランプデバイスの一例である。震動デバイスＤＤは、クランプ力を震わせるように構成されている。クランプ力は、真空クランプシステムによって提供される真空力を備えてもよい。震動デバイスＤＤは、真空力を震わせるように構成されていてもよい。
【００４０】
支持表面Ｓに支持されクランプされた基板Ｗにおける内部応力を避け、オーバレイ性能を向上させるために、バールＢの頂端と基板Ｗとの間の摩擦は、ローディングの間において、とくに支持表面Ｓに基板Ｗがクランプされている間において、基板Ｗが平坦化されるとき基板ＷがバールＢ上を容易に滑ることができるように小さいことが望ましい。
【００４１】
同時に、実際のリソグラフィプロセス、すなわちパターン形成された放射ビームを基板Ｗの目標部分Ｃに投影する間においては、基板支持部ＷＴの加速中及び／または減速中に支持表面Ｓに対して基板Ｗが変位することを避けるためにバールＢの頂端と基板Ｗとの間に大きな摩擦が存在することが望ましい。
【００４２】
よって、ローディングの間においてはバールＢと基板Ｗとの間に低摩擦が望まれるのに対し、実際のリソグラフィプロセスの間においてはバールＢと基板Ｗとの間に高摩擦が望まれる。
【００４３】
図２に示される基板支持部ＷＴにおいては、バールＢの摩擦は、得られる摩擦が、実際のリソグラフィプロセスの間において、とくに基板支持部ＷＴの加速中及び／または減速中において、基板Ｗに対して固定された位置に基板Ｗが保持されることを保証するのに十分な大きさとなるように、選択される。
【００４４】
また、震動デバイスＤＤは、支持表面Ｓと基板Ｗとの間の摩擦を低減するために、支持表面Ｓへの基板Ｗのローディング及び／またはアンローディングの間において基板Ｗを振動させるように構成され、設けられている。この低減された摩擦は、このローディング及び／またはアンローディングの間においてバールＢ上での基板Ｗの滑りを促進する。
【００４５】
図２の実施の形態の震動デバイスＤＤは、基板Ｗを振動させるように基板Ｗに圧力波を印加するように構成されている。この圧力波は、真空クランプシステムの真空導管ＶＣに配置されたスピーカーシステムＳＳＹによって生成される。
【００４６】
スピーカーシステムＳＳＹは、チャンバーＣＨに設置され、真空導管ＶＣへと圧力波を発するようにスピーカーシステムＳＳＹに信号を提供する増幅器ＡＭに接続されている。圧力波は、圧力波が基板Ｗへの振動作用をもたらす場所である真空空間ＶＳへと伝わる。圧力波を伝えるために、空気など、少なくともいくらかのガスが、真空導管ＶＣにある。
【００４７】
この振動作用は、バールＢと基板Ｗとの間の摩擦を低減する。その結果、基板ＷはバールＢ上で、より容易に滑動し、基板Ｗの内部応力は回避されまたは少なくとも実質的に低減され、基板Ｗは所望の平坦化される位置へと、より容易に移動する。その結果、リソグラフィ装置のオーバレイ性能を向上することができる。すなわち、基板支持部ＷＴへの基板Ｗのローディングの間における基板の変形が小さくなり、より良好なオーバレイ性能がもたらされる。
【００４８】
バールＢと基板Ｗとの間の摩擦を低減することには、バールＢ上での基板Ｗの滑りによるバールＢ及び／または基板Ｗの摩耗を実質的に低減することができるという更なる有利な効果があることが理解される。
【００４９】
また、真空導管ＶＣが基板Ｗにクランプ力すなわち真空力を作用させるための真空空間ＶＳにおける負圧を生成するために使用されるから、真空導管ＶＣおよび真空空間ＶＳにおける圧力が低ければ、圧力波の伝達に悪影響がある。真空導管ＶＣおよび真空空間ＶＳを通じた圧力波の伝達を向上させるために、真空クランプシステム、とくにスピーカーシステムＳＳＹの前方のチャンバーＣＨに空気を供給する空気注入システムＡＩＮを設けることが望まれうる。
【００５０】
さらに、スピーカーシステムＳＳＹは、好ましくは、圧力波が真空空間ＶＳに高速に到達するように真空空間ＶＳに近接して配置される。スピーカーシステムＳＳＹは、支持表面Ｓに支持された基板Ｗを効果的に振動させるように異なる場所に配置された多数のスピーカーを備えてもよい。
【００５１】
スピーカーシステムＳＳＹによって発せられる圧力波は、いかなる適切な励起周波数を有してもよく、例えば１ｋＨｚから１ＭＨｚの間であってもよい。
【００５２】
圧力波の励起周波数および励起振幅は、バールＢと基板Ｗの間の摩擦を効果的に低減するように選択される。圧力波によって生じる振動によって支持表面Ｓから基板Ｗが完全に解放されることは避けるべきである。また、圧力波の励起周波数および励起振幅は、基板Ｗが全体として、リソグラフィプロセスにとって望まれない位置へと支持表面Ｓ上で実質的に変位しないように選択されるべきである。
【００５３】
好ましくは、圧力波の励起周波数および励起振幅は、基板Ｗがすべての個々のバールＢと接触を保持するように選択されるが、振動により基板ＷがいくつかのバールＢから一時的に解放されることが可能でありうる。
【００５４】
真空導管ＶＣは、支持表面Ｓから真空源ＶＳＯへと流れを伝えるように構成されている。流れは、支持表面Ｓを包囲する環境空気またはいかなる他の種類のガスの流れであってもよい。震動デバイスＤＤは、真空導管ＶＣの断面を変化させるように構成されていてもよい。断面を変化させることによって、流れが乱される。流れの乱れは真空導管ＶＣにおける圧力に変化を生じさせる。その結果、真空空間ＶＳにおける圧力が変化する。真空空間ＶＳにおいて変化する圧力は、真空力に変化を生じさせる。よって、断面を変化させることによって、震動デバイスＤＤは、真空力を震わせることができる。震動デバイスＤＤは、真空導管ＶＣに接続されたバルブを備えてもよい。バルブは、バルブの断面を制御するピエゾ素子を有してもよい。
【００５５】
位置測定システムＰＭＳが支持表面Ｓ上での基板Ｗの位置を測定するために設けられてもよいことが理解される。こうした位置測定システムＰＭＳは、例えば基板Ｗ上のマーカーを読み取ることによって支持表面Ｓに対して基板Ｗの位置を決定することができるものであってもよく、基板Ｗが全体として、リソグラフィプロセスにとって望まれない位置へと支持表面Ｓ上で実質的に変位されていないことを確認するために使用されてもよい。
【００５６】
支持表面Ｓへの基板Ｗのローディングの間における基板Ｗの振動による摩擦低減作用を最適に使用するために、震動デバイスＤＤは、真空クランプシステムがクランプ力をゼロから最大クランプ力まで増加させるように構成されている期間において基板Ｗを振動させるように構成されていてもよい。また、震動デバイスＤＤは、ローディングピンＬＰを後退位置へと降下させることによって基板Ｗが支持表面Ｓに載置される期間において効果的に使用されてもよい。この期間は、実際には、クランプ力がゼロから最大クランプ力まで増加する期間と少なくとも部分的に重なりうる。
【００５７】
また、基板Ｗが基板支持部ＷＴから取り外されるとき、震動デバイスＤＤは、基板ＷとバールＢの間の摩擦を低減させるように効果的に使用されてもよい。例えば、真空クランプシステムがクランプ力を最大クランプ力からゼロまで減少させるように構成されている期間において、震動デバイスＤＤは、バールＢと基板Ｗとの間の摩擦を低減させるように基板Ｗを振動させてもよい。また、震動デバイスＤＤは、ローディングピンＬＰによって支持表面Ｓから基板Ｗが持ち上げられるときに効果的に使用されてもよい。アンローディング中にバールＢと基板Ｗとの間の摩擦を低減させることは、バールＢ及び／または基板Ｗの摩耗を低減するためにとくに有用でありうる。
【００５８】
スピーカーシステムを有する震動デバイスＤＤの代替的な実施の形態においては、スピーカーシステムは、いかなる他の適切な場所に配置されてもよいことが理解される。例えば、スピーカーシステムは、基板Ｗを振動させるために圧力波が基板Ｗの上側に発せられるように、基板Ｗの上方に配置されてもよい。
【００５９】
支持表面Ｓ及び／または基板Ｗを振動させることによって支持表面ＳとくにバールＢと基板Ｗとの間の摩擦を低減させることの上述の利点は、震動デバイスＤＤの代替的な実施の形態によっても得られうる。いくつかのこうした代替的な実施の形態を以下に述べる。
【００６０】
図３は、本発明に係る震動デバイスＤＤの第２の実施の形態を示す。この第２の実施の形態の震動デバイスＤＤは、バールＢと基板Ｗとの間の摩擦についての摩擦低減作用を得るために、基板支持部ＷＴの本体を少なくとも部分的に振動させるように構成されている。
【００６１】
図３の実施の形態の震動デバイスＤＤは、図３において両矢印で示されるように、支持表面Ｓに実質的に平行な方向に基板支持部ＷＴの本体ＭＢに振動力を作用させるように構成されている多数のピエゾ素子ＰＥを備える。その結果生じる本体ＭＢの振動は、バールＢと基板Ｗとの間の接触について所望の摩擦低減作用を有する。ピエゾ素子ＰＥは、バールＢと基板Ｗとの間の摩擦を効果的に低減させるように適切な励起周波数において適切な励起振幅で増幅器ＡＭによって駆動される。
【００６２】
図４は、第３の実施の形態を示し、ここでは、図３の第２の実施の形態と同様に、バールＢを基板Ｗに対して振動させるべく基板支持部ＷＴの本体ＭＢを少なくとも部分的に振動させるためにピエゾ素子ＰＥが使用される。
【００６３】
図３の実施の形態との主な違いは、図４の実施の形態においては本体ＭＢの励起の方向が図４において両矢印で示されるように支持表面Ｓに実質的に垂直な方向にあることである。支持表面Ｓに実質的に垂直な方向における本体ＭＢの振動もまた、基板ＷとバールＢとの間の接触について摩擦低減作用を有する。
【００６４】
増幅器ＡＭは、とくに基板Ｗのローディングおよびアンローディングの間において、基板ＷとバールＢとの間に所望の摩擦低減作用を得るように適切な励起周波数および励起振幅で、ピエゾ素子ＰＥを駆動するために設けられている。
【００６５】
図３および図４の実施の形態においては適切な周波数および振幅で本体ＭＢを少なくとも部分的に振動させるのに適切ないかなる他の種類のアクチュエータが適用されてもよいことが理解される。とくに、基準物体に対して基板支持部ＷＴを移動させるように構成されたアクチュエータが摩擦低減作用を得るように本体ＭＢを少なくとも部分的に振動させるために使用されてもよい。基板支持部ＷＴを移動させるこれらのアクチュエータは例えば、図１に関して述べたロングストロークモジュールのロングストロークアクチュエータまたはショートストロークモジュールのショートアクチュエータ、または基板支持部を移動させるように構成されたいかなる他のアクチュエータであってもよい。
【００６６】
また、例えばピエゾアクチュエータなどのアクチュエータは、支持表面Ｓに平行な方向および基板Ｗに垂直な方向の両方に本体ＭＢに振動力を作用させるために使用されてもよく、いかなる他の適切な方向、または組み合わせた方向に使用されてもよいことが理解される。
【００６７】
図５は、本発明に係る震動デバイスＤＤの第４の実施の形態を示す。この実施の形態においては、真空クランプシステムに代えて、静電クランプＥＳＣが基板Ｗを静電クランプ力で支持表面Ｓにクランプするために設けられている。この実施の形態においては封止リングＳＲが存在しないが、それは真空クランプシステムのための真空空間ＶＳが生成される必要がないからである。
【００６８】
静電クランプＥＳＣは、信号生成部ＳＧＥによって提供される静電クランプ信号によって駆動される。摩擦低減作用を得るために、信号生成部ＳＧＥは、基板支持部ＷＴへの基板Ｗのローディング及び／または基板支持部ＷＴからの基板Ｗのアンローディングの間において、変動する振動信号を通常の静電クランプ信号に重ね合わせて、基板Ｗに変動するクランプ力を印加するように構成されている。震動デバイスＤＤは、信号生成部ＳＧＥを備えてもよく、そのため、震動デバイスＤＤは、変動する振動信号を生成するように構成されていてもよい。静電クランプＥＳＣは、変動する振動信号に基づいて静電力を提供する。
【００６９】
この変動するクランプ力は、支持表面Ｓに基板Ｗをクランプするだけでなく、基板Ｗのローディング及び／またはアンローディングの間において所望の摩擦低減作用を得るために、基板ＷがクランプされているバールＢに対する基板Ｗの振動を生成する。
【００７０】
図６は、本発明に係る震動デバイスＤＤの第５の実施の形態を示す。図６の実施の形態においては、震動デバイスＤＤは、圧力波を生成するために使用されるスピーカーシステムＳＳＹを備える。スピーカーシステムＳＳＹは、基板支持部ＷＴの本体ＭＢにおける冷却システム回路ＣＳＣを通じて流れる冷却流体に圧力波を生成するように配置されている。ある実施の形態においては、冷却システム回路ＣＳＣに代えて、温度調整システムが使用されてもよい。温度調整システムは、冷却、加熱、または、冷却および加熱の両方によって基板支持部ＷＴの温度を調整するように構成されていてもよい。温度調整システムは、流体を含む回路を有してもよい。スピーカーシステムＳＳＹは、回路における流体に圧力波を生成するように配置されてもよい。
【００７１】
震動デバイスＤＤは、所望の励起周波数および励起振幅でスピーカーシステムＳＳＹを駆動する増幅器ＡＭを備える。圧力波は、冷却流体を伝わり、この圧力波の結果として少なくともバールＢが振動するように本体ＭＢを振動させるために使用される。バールＢの振動は、上述のように摩擦低減作用を生成する。
【００７２】
上述の実施の形態においては、ローディングピンＬＰが本体ＭＢに配置されている。これに代えて、本体ＭＢは、貫通穴を備える。ローディングピンＬＰは、貫通穴を通じて延在してもよい。ローディングピンＬＰは、前記本体とは別の本体に配置されてもよい。
【００７３】
ある実施の形態においては、基板支持部ＷＴは、基板Ｗを支持するためにある。基板支持部ＷＴは、本体ＭＢ、クランプデバイス、および震動デバイスＤＤを備える。本体ＭＢは、基板Ｗを支持するための支持表面Ｓを備える。クランプデバイスは、基板Ｗを支持表面Ｓにクランプするクランプ力を提供するように構成されている。震動デバイスＤＤは、クランプ力を震わせるように構成されている。震動デバイスＤＤは、基板Ｗが支持表面Ｓに装着される間にクランプ力を震わせるように構成されてもよい。
【００７４】
クランプデバイスは、真空クランプシステムを備えてもよい。クランプ力は、真空クランプシステムによって提供される真空力を備えてもよい。震動デバイスＤＤは、真空力を震わせるように構成されている。真空クランプは、支持表面Ｓから真空源ＶＳＯへと流れを伝える真空導管ＶＣを備えてもよい。震動デバイスＤＤは、真空導管ＶＣの断面を変化させるように構成されていてもよい。震動デバイスＤＤは、ピエゾ素子を備えてもよい。
【００７５】
クランプデバイスは、静電クランプＥＳＣを備えてもよい。クランプ力は、静電クランプＥＳＣによって提供される静電力を備えてもよい。震動デバイスＤＤは、静電力を震わせるように構成されていてもよい。震動デバイスＤＤは、変動する振動信号など、信号を生成するように構成されていてもよい。静電クランプＥＳＣは、信号に基づいて静電力を提供してもよい。
【００７６】
震動デバイスＤＤは、クランプ力がゼロから最大クランプ力へと増加する期間においてクランプ力を震わせるように構成されていてもよい。震動デバイスＤＤは、クランプ力が最大クランプ力からゼロへと減少する期間においてクランプ力を震わせるように構成されていてもよい。支持表面Ｓは、本体ＭＢ上に構成された複数のバールによって形成されていてもよい。震動デバイスＤＤは、１ｋＨｚから１ＭＨｚの間の励起周波数でクランプ力を震わせるように構成されていてもよい。
【００７７】
ある実施の形態においては、上述の実施の形態の一つである基板支持部ＷＴと、照明システムＩＬと、支持部ＭＴと、投影システムＰＳとを備えるリソグラフィ装置が提供される。照明システムＩＬは、放射ビームを調整するように構成されている。支持部ＭＴは、パターニングデバイスＭＡを支持するように構成されている。パターニングデバイスＭＡは、放射ビームの断面にパターンを付与し、パターン形成された放射ビームを形成可能である。投影システムＰＳは、パターン形成された放射ビームを基板Ｗの目標部分Ｃに投影するように構成されている。
【００７８】
リソグラフィ装置は、ハンドリングデバイスを備えてもよい。ハンドリングデバイスは、基板Ｗを支持表面Ｓに装着するように構成され、及び／または、基板Ｗを支持表面Ｓから取り外すように構成されている。震動デバイスＤＤは、基板Ｗがハンドリングデバイスによって部分的に支持されるとともに支持表面Ｓによって部分的に支持されている間に、クランプ力を震わせるように構成されている。ハンドリングデバイスは、ローディングピンＬＰを備えてもよい。ハンドリングデバイスは、ローディングデバイス、例えばローディングロボットを備えてもよい。ハンドリングデバイスは、基板Ｗの下側または基板Ｗの上側に接触することによって基板Ｗをハンドリングしてもよい。例えば、ハンドリングデバイスは、基板Ｗの上側から基板Ｗを支持するベルヌーイグリッパーを備える。ベルヌーイグリッパーは、ハンドリングデバイスに基板Ｗをクランプする真空力を提供してもよい。ベルヌーイグリッパーは、ハンドリングデバイスと基板Ｗとの間の物理的接触を妨げるようにハンドリングデバイスと基板Ｗとの間にガスフィルムを提供してもよい。
【００７９】
ある実施の形態においては、ｉ）基板Ｗをハンドリングデバイスから支持表面Ｓに移送することと、ｉｉ）基板Ｗを支持表面Ｓにクランプするクランプ力を提供することと、ｉｉｉ）基板Ｗをハンドリングデバイスで部分的に支持するとともに支持表面Ｓで部分的に支持する間においてクランプ力を震わせることと、を備えるローディング方法が提供される。ローディング方法は、クランプ力がゼロから最大クランプ力へと増加する間においてクランプ力を震わせることをさらに備えてもよい。
【００８０】
更なる実施の形態が図７に示されている。図７は、本体ＭＢの断面の一部を示す。本体ＭＢは、第１部分Ｐ１、第２部分Ｐ２、および第３部分Ｐ３を備える。バールＢは、第３部分Ｐ３の上面に配置されている。第１部分Ｐ１と第２部分Ｐ２は接触表面ＣＳＵを介して互いに接続されている。ピエゾ層ＰＺＬが第２部分Ｐ２と第３部分Ｐ３との間に配置されている。ピエゾ層ＰＺＬの底面ＢＳＵは、第２部分Ｐ２に接続されている。ピエゾ層ＰＺＬの上面ＴＳＵは、第３部分Ｐ３に接続されている。
【００８１】
ピエゾ層ＰＺＬは、圧電材料を有し、電荷が当該圧電材料に印加されるとき変形する。ピエゾ層ＰＺＬは、電荷が印加されるときｚ軸に沿って変形するように構成されていてもよい。例えば、ピエゾ層ＰＺＬの厚さは、異なる電荷を印加することによって変更されてもよい。ピエゾ層ＰＺＬは、ｘ軸に沿って変形するように構成されていてもよい。この場合、ピエゾ層ＰＺＬは、上面ＴＳＵが底面ＢＳＵに対してｘ方向に沿って動くせん断ピエゾを形成する。ピエゾ層ＰＺＬは、上面ＴＳＵが底面ＢＳＵに対してｘｙ平面内の方向に沿って動くせん断ピエゾを形成してもよい。
【００８２】
電荷がピエゾ層ＰＺＬに印加されるとき、上面ＴＳＵは、底面ＢＳＵに対して動く。その結果、第３部分Ｐ３が第２部分Ｐ２に対して動く。第３部分Ｐ３の動きによってバールＢが動く。
【００８３】
バールＢに振動を生じさせるように時間的に変動する電荷が印加されてもよい。例えば、電荷は、時間に対してサイン形状の関数で印加されてもよい。電荷は、電荷が複数の値に変化する一連のステップ関数として与えられてもよい。ピエゾ層ＰＺＬは、高周波数、例えば５００Ｈｚ〜５０００Ｈｚの周波数で、バールＢを動かしてもよい。動きの振幅は、小さくてもよく、例えば１０ｎｍ〜１００ｎｍの範囲であってもよい。この動きは、震動と称しうる。ピエゾ層ＰＺＬは、震動デバイスＤＤとみなされうる。震動は、ｚ方向に沿うものであってもよいし、ｘｙ平面に沿うものであってもよいし、またはそれらの組み合わせであってもよい。
【００８４】
基板ＷがバールＢに装着されるとき、ピエゾ層ＰＺＬは、バールＢを震わせてもよい。基板ＷがバールＢに接触するとき、震動は、基板ＷとバールＢとの間の摩擦を、震動が無い場合の摩擦に比べて低減させる。その結果、基板Ｗは、バールＢ上でより容易に滑り、基板Ｗは、より小さい内部応力で装着されうる。震動は、バールＢへの基板Ｗの装着後に、基板ＷがバールＢによって完全に支持されているときに、適用されてもよい。震動は、バールＢからの基板Ｗのアンロードの間に適用されてもよい。震動は、基板ＷとバールＢとの間の摩擦を低減し、これはバールＢの摩耗を低減するのに役立ちうる。
【００８５】
ピエゾ層ＰＺＬは、定在波としてバールＢを振動させる電荷によって駆動されてもよい。バールＢが定在波として振動するとき、基板Ｗの内部応力は除去または低減されうる。あるいは、ピエゾ層ＰＺＬは、進行波としてバールＢを振動させる電荷によって駆動されてもよい。
【００８６】
ピエゾ層ＰＺＬは、本体ＭＢと一体の部分を形成してもよい。ピエゾ層ＰＺＬは、接合により、または成膜により、またはその組み合わせにより、第２部分Ｐ２および第３部分Ｐ３に接続されてもよい。接合は、焼成プロセスにおいて行われてもよい。バールＢの所望の平坦性を得るために、バールＢは、ピエゾ層ＰＺＬが第２部分Ｐ２および第３部分Ｐ３に接続された後に生成され研磨されてもよい。
【００８７】
ピエゾ層ＰＺＬは、圧電材料に電荷を印加する電極を備える。電極のレイアウトは、ピエゾ層ＰＺＬに所望される変形に依存する。電極のパターンは、リソグラフィプロセスを使用して製作されてもよい。また、ピエゾ層ＰＺＬは、連続層として与えられてもよい。これに代えて、ピエゾ層ＰＺＬは、複数の部分をもつ層として与えられてもよい。例えば、これら部分は、同心リングまたはくさびとして配置されてもよい。各部分に専用の電荷が印加されてもよいし、あるいは、共通の電荷が印加されてもよい。ピエゾ層ＰＺＬは、例えばローディングピンＬＰのための空間を提供するために、開口部を有してもよい。
【００８８】
図７において、ピエゾ層ＰＺＬは、第２部分Ｐ２と第３部分Ｐ３の間に設けられている。あるいは、ピエゾ層ＰＺＬは、第１部分Ｐ１と第２部分Ｐ２との間の接触表面ＣＳＵに設けられる。あるいは、ピエゾ層ＰＺＬは、第１部分Ｐ１内または第１部分Ｐ１の下方に設けられる。ある実施の形態においては、多数のピエゾ層ＰＺＬが設けられる。
【００８９】
本明細書ではＩＣの製造におけるリソグラフィ装置の使用に具体的に言及しているかもしれないが、本書に説明されたリソグラフィ装置は、集積光学システム、磁区メモリ用案内パターンおよび検出パターン、フラットパネルディスプレイ、液晶ディスプレイ（ＬＣＤ）、薄膜磁気ヘッド等の製造など他の用途にも適用することが可能であるものと理解されたい。当業者であればこれらの他の適用に際して、本書における「ウェーハ」あるいは「ダイ」という用語がそれぞれ「基板」あるいは「目標部分」という、より一般的な用語と同義であるとみなされると理解することができるであろう。本書に言及される基板は、露光前または露光後において、例えばトラック（典型的にはレジスト層を基板に塗布し、露光後のレジストを現像する装置）、メトロロジツール、及び／またはインスペクションツールにより処理されてもよい。適用可能であれば、本書の開示はこれらのまたは他の基板処理装置にも適用され得る。また、基板は例えば多層ＩＣを生成するために複数回処理されてもよく、その場合には本書における基板という用語は処理済みの多数の層を既に含む基板をも意味する。
【００９０】
上記では光リソグラフィにおける本発明の実施の形態の使用に具体的に言及したかもしれないが、本発明は例えばインプリントリソグラフィなどの他の用途においても使用されうるものであり、文脈が許す場合、光リソグラフィに限られるものではないことは理解されよう。インプリントリソグラフィでは、パターニングデバイスのトポグラフィによって、基板上に生成されるパターンが画定される。パターニングデバイスのトポグラフィを基板に供給されたレジストの層に押しつけ、その後に電磁放射、熱、圧力またはその組合せにより、レジストが硬化される。パターニングデバイスをレジストから離すと、レジストの硬化後にパターンが残される。
【００９１】
以上では本発明の特定の実施形態を説明したが、本発明は、説明したものとは異なる方式で実施されうることが理解される。
【００９２】
上述の説明は例示であり、限定を意図しない。よって、後述の特許請求の範囲から逸脱することなく既述の本発明に変更を加えることができるということは、関連技術の当業者には明らかなことである。
【図１】
2020194185.tif 000003
【図２】
2020194185.tif 000004
【図３】
2020194185.tif 000005
【図４】
2020194185.tif 000006
【図５】
2020194185.tif 000007
【図６】
2020194185.tif 000008
【図７】
2020194185.tif 000009
【外国語明細書】
2020194185000001.pdf